(57)【要約】【課題】周囲温度の違いによる複数の照明装置の光出力のばらつきを抑制可能な照明制御システムを提供する。【解決手段】照明制御システム１は、複数の照明器具２と、放電ランプ６の周囲温度を検出する温度センサ３と、照明制御信号に応じて調光信号を生成するとともに温度センサ３が検出した放電ランプ４の周囲温度に応じた温度情報信号を生成する制御部１２と、調光信号に応じて放電ランプ６を点灯する点灯回路部１３とを有する制御端末装置４と、一の制御端末装置４に対応する放電ランプ６の調光率と温度情報信号とから記憶部１１に記憶している放電ランプ６の周囲温度に対する光束比の特性データに基づいて求まる光束比と同等の光束比になるように残余の制御端末装置４に対応する放電ランプ６の調光率をそれぞれ演算して照明制御信号を生成する主制御部２２を有する主操作盤装置５とを具備している。【選択図】図１
2009140759.tif 000002
【特許請求の範囲】
【請求項１】
放電ランプを配設している複数の照明器具と；
この照明器具にそれぞれ配設され、放電ランプの周囲温度を検出する温度センサと；
伝送線に接続され、この伝送線から照明制御信号を受信するとともに前記伝送線に温度情報信号を送信する送受信部と、前記照明制御信号に応じて調光信号を生成するとともに温度センサが検出した放電ランプの周囲温度に応じた温度情報信号を生成する制御部と、前記調光信号に応じて放電ランプを点灯する点灯回路部とを有してなり、各照明器具に配設された制御端末装置と；
放電ランプの調光率に応じた放電ランプの周囲温度に対する光束比の特性データを記憶している記憶部と、前記伝送線を介して制御端末装置に照明制御信号を送信するとともに制御端末装置から前記伝送線を介して温度情報信号を受信する通信部と、この通信部が温度情報信号を受信したときに記憶部から放電ランプの周囲温度に対する光束比の特性データを読み出すとともに、一の制御端末装置に対応する放電ランプの調光率と温度情報信号とから前記特性データに基づいて求まる光束比と同等の光束比になるように残余の制御端末装置に対応する放電ランプの調光率をそれぞれ演算し、この演算した調光率を付与した照明制御信号を生成して通信部から前記伝送線を介して制御端末装置に送信する主制御部とを有する主操作盤装置と；
を具備していることを特徴とする照明制御システム。
【請求項２】
主操作盤装置の主制御部は、一の制御端末装置として放電ランプの周囲温度に対する光束比が最も大きい温度情報信号を送信している制御端末装置を選択することを特徴とする請求項１記載の照明制御システム。
【請求項３】
主操作盤装置の主制御部は、一の制御端末装置として放電ランプの周囲温度に対する光束比が最も小さい温度情報信号を送信している制御端末装置を選択することを特徴とする請求項１記載の照明制御システム。
【発明の詳細な説明】
【技術分野】
【０００１】
本発明は、周囲温度に応じて照明器具の光出力を制御する照明制御システムに関する。
【背景技術】
【０００２】
放電ランプの光束は、周囲温度によって変化することが知られている。例えば全光状態においては２０〜２５℃付近で最大の光束が得られ、低温域や高温域では光束が低下する。この周囲温度による光束の低下を補正することが行われており、例えば周囲温度を検知する検知部を設け、周囲温度に応じて光出力を変化させる照明制御方式が提案されている(特許文献１参照。)。
【０００３】
この従来技術の照明制御方式は、室内壁面に取り付けられたコントローラにて周囲温度を検知し、または室内に適宜設置された周囲温度検知部から周囲温度の情報を入力し、その周囲温度に応じて複数の照明装置の光出力を制御するように構成されている。したがって、複数の照明装置の各々に周囲温度を検出する手段を設ける必要がなく、放電ランプを点灯するインバータ装置を小型化することができ、低コストで簡単に複数の照明装置の光束を補正することができるというものである。
【特許文献１】特開平７−９４２８８号公報（第３頁、第２図）
【発明の開示】
【発明が解決しようとする課題】
【０００４】
しかしながら、特許文献１の照明制御方式は、複数の照明装置が１か所の周囲温度に応じて補正された調光信号で一括して制御されるので、個々の照明装置の周囲温度に応じて個々の照明装置の光束の補正ができないものである。すなわち、照明装置が多数設置されていると、個々の照明装置の周囲温度にばらつきが生じ、各照明装置の光出力がばらつくことがある。これにより、各照明装置による明るさに若干のばらつきが発生し、設置された照明装置間において輝度むらが発生するという問題がある。
【０００５】
本発明は、周囲温度の違いによる複数の照明装置の光出力のばらつきを抑制可能な照明制御システムを提供することを目的とする。
【課題を解決するための手段】
【０００６】
請求項１に記載の照明制御システムの発明は、放電ランプを配設している複数の照明器具と；この照明器具にそれぞれ配設され、放電ランプの周囲温度を検出する温度センサと；伝送線に接続され、この伝送線から照明制御信号を受信するとともに前記伝送線に温度情報信号を送信する送受信部と、前記照明制御信号に応じて調光信号を生成するとともに温度センサが検出した放電ランプの周囲温度に応じた温度情報信号を生成する制御部と、前記調光信号に応じて放電ランプを点灯する点灯回路部とを有してなり、各照明器具に配設された制御端末装置と；放電ランプの調光率に応じた放電ランプの周囲温度に対する光束比の特性データを記憶している記憶部と、前記伝送線を介して制御端末装置に照明制御信号を送信するとともに制御端末装置から前記伝送線を介して温度情報信号を受信する通信部と、この通信部が温度情報信号を受信したときに記憶部から放電ランプの周囲温度に対する光束比の特性データを読み出すとともに、一の制御端末装置に対応する放電ランプの調光率と温度情報信号とから前記特性データに基づいて求まる光束比と同等の光束比になるように残余の制御端末装置に対応する放電ランプの調光率をそれぞれ演算し、この演算した調光率を付与した照明制御信号を生成して通信部から前記伝送線を介して制御端末装置に送信する主制御部とを有する主操作盤装置と；を具備していることを特徴とする。
【０００７】
本発明および以下の各発明において、特に言及しない限り、各構成は以下による。
【０００８】
制御端末装置は、照明器具の内部または外部のいずれに配設されてもよい。また、制御端末装置は、点灯回路部が点灯装置として別体に形成されたものであってもよい。
【０００９】
伝送線は、主操作盤装置と照明器具（制御端末装置）との間を接続するものであり、主操作盤装置は、伝送線を介して照明制御信号などを送信するとともに照明器具を監視制御するものである。ここで、本発明の主操作盤装置は、伝送線を介して監視端末装置と接続し、この監視端末装置を監視制御する構成であってもよい。監視端末装置は、例えば壁スイッチ装置、人感センサ装置やリモコン装置からの制御信号を受信して伝送線に出力する送受信装置などであり、放電ランプを所望の調光率で点灯させる制御信号が出力される。
【００１０】
照明制御信号および調光信号は、放電ランプを調光点灯させる信号の他に、全光点灯、消灯させる信号を包含する。
【００１１】
温度センサは、放電ランプの周囲温度として、放電ランプの外面回りの空間温度の他、照明器具の内部温度や反射板温度、制御端末装置の外面温度などを検出してもよい。
【００１２】
制御端末装置の制御部は、温度情報信号を定期的にまたは主操作盤装置からの要求信号に応じてあるいは温度情報が変化したときに温度情報信号を伝送線に出力するように制御することができる。
【００１３】
一の制御端末装置は、照明器具に配設されている複数の制御端末装置のうちの所望の条件により選択されたひとつの制御端末装置である。
【００１４】
主操作盤装置の主制御部は、照明制御信号に付与されている放電ランプの調光率における放電ランプの周囲温度に対する光束比の特性データが記憶部に記憶されていないときには、当該調光率に最も近い調光率または前後の調光率における放電ランプの周囲温度に対する光束比の特性データを読み出して、一の監視端末装置の温度情報信号に付与されている放電ランプの周囲温度における光束比を演算し、残余の制御端末装置に対応する放電ランプの調光率をそれぞれ演算するものである。
【００１５】
一の制御端末装置を特定(選択)し、残余の制御端末装置に対応する放電ランプを点灯制御する場合、主制御部の演算処理により、一の制御端末装置に対しては、放電ランプの調光率が変更されない照明制御信号が出力され、残余の制御端末装置に対しては、放電ランプの調光率が変更された照明制御信号が出力される。以後、通信部に温度情報信号が入力すると、主制御部は、前記変更されない放電ランプの調光率に基づいて演算処理を行うものである。すなわち、放電ランプの調光率は、例えば監視端末装置からの制御信号によって設定されるものであるので、主制御部は、当該設定された調光率で放電ランプの点灯状態を制御することを基本とするものである。
【００１６】
本発明によれば、制御端末装置は、放電ランプの周囲温度に応じた温度情報信号を主操作盤装置に出力し、主操作盤装置の主制御部は、記憶部に記憶されている放電ランプの周囲温度に対する光束比の特性データに基づいて一の制御端末装置の温度情報信号に付与されている放電ランプの周囲温度における光束比と同等の光束比となるように残余の制御端末装置に対応する放電ランプの調光率を演算し、この演算した調光率を有する照明制御信号で残余の制御端末装置を制御する。これにより、残余の制御端末装置により点灯される放電ランプの光束は、一の制御端末装置により点灯される放電ランプの光束とほぼ同等となる。この結果、放電ランプの周囲温度の違いによる照明器具の光出力のばらつきが抑制される。
【００１７】
請求項２に記載の照明制御システムの発明は、請求項１記載の照明制御システムにおいて、主操作盤装置の主制御部は、一の制御端末装置として放電ランプの周囲温度に対する光束比が最も大きい温度情報信号を送信している制御端末装置を選択することを特徴とする。
【００１８】
本発明によれば、主操作盤装置の主制御部は、最も大きい光束を出力している放電ランプを制御する制御端末装置を一の制御端末装置として選択し、残余の制御端末装置に対応する放電ランプの調光率を前記最も大きい光束と同等の光束となるように演算して残余の制御端末装置を制御することになるので、個々の照明器具の光出力を低下させずに、周囲温度の違いによる照明器具の光出力のばらつきが抑制される。
【００１９】
請求項３に記載の照明制御システムの発明は、請求項１記載の照明制御システムにおいて、主操作盤装置の主制御部は、一の制御端末装置として放電ランプの周囲温度に対する光束比が最も小さい温度情報信号を送信している制御端末装置を選択することを特徴とする。
【００２０】
本発明によれば、主操作盤装置の主制御部は、最も小さい光束を出力している放電ランプを制御する制御端末装置を一の制御端末装置として選択し、残余の制御端末装置に対応する放電ランプの調光率を前記最も小さい光束と同等の光束となるように演算して残余の制御端末装置を制御することになるので、放電ランプの全光点灯または全光点灯付近において放電ランプに対して定格電力を超える電力を印加することなく、周囲温度の違いによる照明器具の光出力のばらつきが抑制される。
【発明の効果】
【００２１】
請求項１の発明によれば、一の制御端末装置を配設している照明器具の放電ランプからの光束と同等の光束が得られるように残余の制御端末装置を配設している照明器具の放電ランプの調光率が変化されるので、個々の照明器具の周囲温度が異なっていても照明器具の光出力のばらつきを抑制することができて、机上面や床面の照度むらを抑制することができるとともに照明器具同士を比較したときの輝度むらを略一定にすることができる。
【００２２】
請求項２の発明によれば、放電ランプからの光束が最も多い照明器具に配設されている制御端末装置が一の制御端末装置として選択され、最も多い光束と同等の光束が得られるように残余の制御端末装置を配設している照明器具の放電ランプの調光率が変化されるので、周囲温度の違いによる照明器具の光出力のばらつきを抑制して明るく照明することができる。
【００２３】
請求項３の発明によれば、放電ランプからの光束が最も少ない照明器具に配設されている制御端末装置が一の制御端末装置として選択され、最も少ない光束と同等の光束が得られるように残余の制御端末装置を配設している照明器具の放電ランプの調光率が変化されるので、周囲温度の違いによる照明器具の光出力のばらつきを抑制することができるとともに、放電ランプの全光点灯または全光点灯付近において放電ランプに対して定格電力を超える電力が印加されないことにより放電ランプが短寿命になることを防止することができる。
【発明を実施するための最良の形態】
【００２４】
以下、本発明の一実施の形態について、図面を参照して説明する。
【００２５】
図１ないし図６は、本発明の一実施の形態を示し、図１は照明制御システムの構成を示す概略ブロック図、図２は照明器具の構成を示す概略ブロック図、図３は主操作盤装置の構成を示す概略ブロック図、図４は放電ランプの調光率に応じた放電ランプの周囲温度に対する光束比を示す特性図、図５は主操作盤装置の主制御部の動作を示すフロー図、図６は温度情報による放電ランプの周囲温度に対する光束比を示す説明図である。
【００２６】
図１において、照明制御システム１は、照明器具２、温度センサ３、制御端末装置４および主操作盤装置５を有して構成されている。照明器具２は、例えば逆富士形の直付け照明器具であり、天井面に複数個（Ｎ個）が取り付けられている。各照明器具２は、それぞれ２本の放電ランプとしての蛍光ランプ６，６を配設している。蛍光ランプ６，６は、直管形の蛍光ランプであり、照明器具２の反射板２ａに対向するように図示しないランプソケットに装着されている。蛍光ランプ６，６は、照明器具２の内部に配設された制御端末装置４により点灯制御される。また、蛍光ランプ６，６の周囲温度は、温度センサ３により検出される。温度センサ３は、照明器具２の内部に配設され、その温度検知部が蛍光ランプ６，６の中間で反射板２ａの外面に露出されている。
【００２７】
制御端末装置４は、伝送線７を介して主操作盤装置５に接続されており、主操作盤装置５から蛍光ランプ６，６をオンオフ(点消灯)または調光点灯させる照明制御信号を受信する。なお、制御端末装置４は、アドレスを有し、アドレスが一致する照明制御信号を取り込むように構成されている。
【００２８】
また、伝送線７には、複数の監視端末装置８が接続されている。監視端末装置８は、手動操作により蛍光ランプ６，６をオンオフさせる壁スイッチ装置、人体を検知して蛍光ランプ６，６をオンオフさせる人感センサ装置、蛍光ランプ６，６を所望の調光率で点灯させる調光器、リモコン装置９から送信されたワイヤレス信号を受信して伝送線７に送出する送受信装置などからなり、蛍光ランプ６，６の点灯状態を制御する制御信号などを主操作盤装置５に送信する。ここで、監視端末装置８は、蛍光ランプ６，６(照明器具２)を個々にまたはグループごとに制御するものとすることができる。伝送線７は、複極（±２４Ｖ）の時分割多重信号で示されたデータを送受信する伝送線、あるいはイーサネットや電力線通信等を行う回線である。
【００２９】
主操作盤装置５は、監視端末装置８から蛍光ランプ６，６をオンオフ(点消灯)させる制御信号または蛍光ランプ６，６を調光点灯させる制御信号が送出されると、伝送線７から当該制御信号を受信し、当該制御信号に応じた照明制御信号を生成して伝送線７に送信する。制御端末装置４は、伝送線７から照明制御信号を受信し、照明制御信号に応じた調光信号を生成して蛍光ランプ６，６を点灯制御する。これにより、蛍光ランプ６，６は、主操作盤装置５または監視端末装置８により設定された所望の調光率で点灯される。
【００３０】
そして、制御端末装置４は、温度センサ３が検出した温度(蛍光ランプ６，６の周囲温度)に応じた温度情報信号を生成して伝送線７を介して主操作盤装置５に送信する。温度情報信号には、制御端末装置４のアドレスが付与されている。主操作盤装置５は、伝送線７を介して温度情報信号を受信し、温度情報信号に基づいて複数の制御端末装置４のうちの一の制御端末装置４を選択する。一の制御端末装置４は、任意にまたは所定の条件の下で選択される。
【００３１】
そして、一の制御端末装置４における蛍光ランプ６，６の周囲温度に対する光束比と同等の光束比となるように残余の制御端末装置４に対応する蛍光ランプ６，６の調光率が周囲温度に対する光束比に基づいてそれぞれ演算されて変更される。この変更された調光率を付与した照明制御信号が伝送線７に出力される。
【００３２】
一の制御端末装置４および残余の制御端末装置４は、それぞれアドレスの一致する照明制御信号を伝送線７から受信する。そして、一の制御端末装置４は、予め設定された調光率で蛍光ランプ６，６を点灯制御し、残余の制御端末装置４は、前記変更された調光率でそれぞれの蛍光ランプ６，６を点灯制御する。これにより、一の制御端末装置４により点灯される蛍光ランプ６，６からの光束と、残余の制御端末装置４により点灯されるそれぞれの蛍光ランプ６，６からの光束とが略同等となる。すなわち、個々の照明器具２における蛍光ランプ６，６の周囲温度が異なっていても、全ての照明器具２から略同等の光束が出射されることになり、照明器具２の光出力のばらつきが抑制される。この結果、周囲温度が異なることによる明るさのむらを防止することができ、天井を見上げたときの照明器具２の輝度を略一定にすることができるものである。
【００３３】
制御端末装置４は、図２に示すように、送受信部１０、記憶部１１、制御部１２、点灯回路部１３および電源部１４を有してユニットに構成されている。
【００３４】
送受信部１０は、接続端子１５，１５を介して伝送線７に接続され、伝送線７から照明制御信号や要求信号などの各種制御信号を受信する。そして、自身の制御端末装置４のアドレスと一致する前記制御信号を制御部１２に送出する。また、制御部１２が生成した温度情報信号を伝送線７に送信するように構成されている。記憶部１１は、制御端末装置４のアドレスなどを記憶している。
【００３５】
制御部１２は、マイコンを有して形成され、伝送線７から送受信部１０を介して照明制御信号および要求信号などが入力され、温度センサ３から蛍光ランプ６，６の周囲温度のデータが入力される。そして、照明制御信号を入力すると、演算処理により照明制御信号に応じた調光信号を生成し、この調光信号を点灯回路部１３に送出する。また、要求信号を入力すると、演算処理により蛍光ランプ６，６の周囲温度に応じた温度情報信号を生成して送受信部１０から伝送線７に送信するように形成されている。
【００３６】
点灯回路部１３は、接続端子１６，１６を介して商用交流電源ＡＣに接続され、交流電圧を所定の直流電圧に変換して出力する図示しない直流電源部と、当該直流電圧を高周波交流電圧に変換して蛍光ランプ６，６に印加する図示しないインバータ回路部とを有して形成されている。そして、制御部１２から送出された前記調光信号に応じて蛍光ランプ６，６を高周波点灯させる。
【００３７】
そして、電源部１４は、接続端子１６，１６を介して商用交流電源ＡＣに接続され、制御部１２などに直流電源を供給して動作させる。
【００３８】
主操作盤装置５は、システム全体を統括管理し、例えば照明ゾーン毎に一台設置されている。そして、図３に示すように、通信部１７、記憶部１８、時計部１９、画面入力部２０、電源部２１および主制御部２２を有して構成されている。
【００３９】
通信部１７は、接続端子２３，２３を介して伝送線７に接続され、蛍光ランプ６，６を点灯制御させる照明制御信号や照明器具２の温度情報を入手するための要求信号などを送信するとともに、監視端末装置８からの制御データや制御端末装置４からの温度情報信号などを受信するように形成されている。
【００４０】
記憶部１８は、図４に示すように、蛍光ランプ６，６の調光率に応じた蛍光ランプ６，６の周囲温度に対する光束比の特性データを記憶している。ここで、記憶部１８は、可能な限り、蛍光ランプ６，６の調光率を細かくして記憶していることが望ましい。また、記憶部１８は、制御端末装置４や監視端末装置８のそれぞれのアドレス、要求信号を伝送線７に送信する時刻などを記憶している。
【００４１】
時計部１９は、時間を計時する。画面入力部２０は、例えばタッチパネルを備え、蛍光ランプ６，６のオンオフ(点消灯)や蛍光ランプ６，６の調光率などの各種データを入力可能に形成されている。すなわち、監視端末装置８と同様に、画面入力部２０からでも蛍光ランプ６，６の点灯状態が制御される。そして、電源部２１は、接続端子２４，２４を介して商用交流電源ＡＣに接続され、主制御部２２などに直流電源を供給して動作させる。
【００４２】
主制御部２２は、マイコン等で構成され、各種の演算処理や制御を行うように形成されている。すなわち、監視端末装置８から送出された制御信号または画面入力部２０から入力された制御信号に応じて照明制御信号を演算生成し、通信部１７から伝送線７に送信する。また、計時部１９が計時している時刻が記憶部１８に記憶されている時刻となったときに、要求信号を伝送線７に送信する。当該時刻は、例えば２０分ごとの時刻となっている。
【００４３】
以下、図５を参照して、主制御部２２の動作について説明する。主制御部２２は、計時部１９が計時している時刻が記憶部１８に記憶されている所定の時刻になると、要求信号を通信部１７から伝送線７に送信する（ステップＳ１）。そして、各制御端末装置４は、温度情報信号を伝送線７に送信する。主制御部２２は、通信部１９が温度情報信号を受信する（ステップＳ２）と、記憶部１８から照明制御信号に付与されている蛍光ランプ６，６の調光率（以下、この調光率を基準調光率という。）における蛍光ランプ６，６の周囲温度に対する光束比の特性データを読み出す（ステップＳ３）。ここで、記憶部１８に基準調光率における前記光束比の特性データが記憶されていないときには、基準調光率に近い調光率における蛍光ランプ６，６の周囲温度に対する光束比の特性データを読み出し、基準調光率における蛍光ランプ６，６の周囲温度に対する光束比を演算する。
【００４４】
そして、基準調光率における前記光束比の特性に基づいて、基準調光率での全ての温度情報信号（アドレス１〜Ｎ）に付与されている蛍光ランプ６，６の周囲温度における光束比を演算する（ステップＳ４）。そして、一の制御端末装置４を選択する（ステップＳ５）。この一の制御端末装置４は、複数の制御端末装置４のうちのいずれであってもよく、例えば室内の中央部に配設されている照明器具２の制御端末装置４とすることができる。また、前記光束比の演算結果において、演算した光束比が最も大きいあるいは最も小さい温度情報信号を送信している制御端末装置４とすることができる。最も大きい(小さい)光束比を有する一の制御端末装置４は、温度情報信号に付与されている光束比を順次比較することによって選択することができる。
【００４５】
そして、主制御部２２は、一の制御端末装置４を選択すると、前記光束比の演算結果に基づいて、一の制御端末装置４における光束比と同等の光束比となるように残余の制御端末装置４に対応する蛍光ランプ６，６の調光率をそれぞれ演算する（ステップＳ６）。この調光率は、例えば、図６に示すように、一の制御端末装置４の周囲温度（２０℃）における光束比と残余の制御端末装置４の周囲温度（１８℃、２３．５℃、…）における光束比との差分Δ１、Δ２、…を求め、それぞれの調光率１％当たりの光束比を除算して補正(増減)する調光率をそれぞれ求め、当初の照明制御信号に付与されている調光率に加算することにより求めることができる。
【００４６】
そして、演算した調光率を付与した照明制御信号をそれぞれ生成し（ステップＳ７）、一の制御端末装置４に対しては、基準調光率が付与された照明制御信号を出力し、残余の制御端末装置４に対しては、それぞれ変更された調光率が付与された照明制御信号が出力する（ステップＳ８）。
【００４７】
この後、主制御部２２は、監視端末装置８または主操作盤装置５の画面入力部２０から蛍光ランプ６，６を消灯させる制御信号（消灯信号）が出力されているか否かを判断する（ステップＳ９）。そして、消灯信号が出力されていると、制御の動作を終了する。消灯信号が出力されていないと、監視端末装置８または主操作盤装置５の画面入力部２０から蛍光ランプ６，６の調光率を変更させる制御信号（変更信号）が出力されているか否かを判断する（ステップＳ１０）。
【００４８】
当該変更信号が出力されていないと、ステップＳ１に戻り、計時部１９が計時している時刻と記憶部１８に記憶されている所定の時刻を比較する。そして、当該変更信号が出力されていると、変更された調光率を付与した照明制御信号を生成し(ステップＳ１１)、この照明制御信号を全ての制御端末装置４に対して出力するように構成されている。全ての照明器具２の蛍光ランプ６，６は、変更された調光率で点灯される。この後、計時部１９が計時している時刻と記憶部１８に記憶されている所定の時刻を比較して、ステップＳ１以降の動作を行う。
【００４９】
上述したように、主操作盤装置５の主制御部２２は、全ての照明器具２（制御端末装置４）の蛍光ランプ６，６の周囲温度を入力し、記憶部１８に記憶している蛍光ランプ６，６の周囲温度に対する光束比の特性データに基づいて、一の制御端末装置４における光束比と同等の光束比となるように残余の制御端末装置４に対応する蛍光ランプ６，６の調光率をそれぞれ演算し、残余の制御端末装置４に対して当該調光率を付与した照明制御信号を送信するように構成されている。すなわち、一の制御端末装置４を配設している照明器具２の蛍光ランプ６，６からの光束と同等の光束が得られるように残余の制御端末装置４を配設している照明器具２の蛍光ランプ６，６の調光率がそれぞれ変化される。これにより、個々の照明器具２の蛍光ランプ６，６の周囲温度が異なっていても照明器具からの光出力(光束)のばらつきが抑制されて、照明器具２による明るさのむらを抑制することができるとともに、照明器具２を見上げたときの照明器具２の輝度を略一定にすることができる。
【００５０】
そして、一の制御端末装置４として最も大きい光束比を有する制御端末装置４が選択されると、最も大きい光束と同等の光束が得られるように残余の制御端末装置４を配設している照明器具２の蛍光ランプ６，６の調光率がそれぞれ変化されるので、周囲温度の違いによる照明器具の光出力のばらつきを抑制した状態で明るく照明することができる。
【００５１】
また、一の制御端末装置４として最も小さい光束比を有する制御端末装置４が選択されると、最も小さい光束と同等の光束が得られるように残余の制御端末装置４を配設している照明器具２の蛍光ランプ６，６の調光率がそれぞれ変化されるので、蛍光ランプ６，６の全光（１００％）点灯または全光点灯付近において、蛍光ランプ６，６に対して定格電力を超える電力を印加することを防止することができて、蛍光ランプ６，６が短寿命になることを防止することができる。
【００５２】
なお、上記実施形態において、主操作盤装置５から送信された要求信号に応じて、制御端末装置４が温度情報信号を送信するように構成しているが、制御端末装置４から定期的にまたは蛍光ランプ６，６の周囲温度が変化したときに温度情報信号を送信するように構成してもよい。また、一の制御端末装置４から所定時間ごとに温度情報信号を送信し、主操作盤装置５は、当該温度情報に変化があるときに残余の制御端末装置４から温度情報信号を受信して蛍光ランプ６，６の調光率を再設定するようにしてもよい。
【図面の簡単な説明】
【００５３】
【図１】本発明の一実施の形態を示す照明制御システムの構成の概略ブロック図。
【図２】同じく、照明器具の構成を示す概略ブロック図。
【図３】同じく、主操作盤装置の構成を示す概略ブロック図。
【図４】同じく、放電ランプの調光率に応じた放電ランプの周囲温度に対する光束比を示す特性図。
【図５】同じく、主操作盤装置の主制御部の動作を示すフロー図。
【図６】同じく、温度情報による放電ランプの周囲温度に対する光束比を示す説明図。
【符号の説明】
【００５４】
１…照明制御システム
２…照明器具
３…温度センサ
４…制御端末装置
５…主操作盤装置
１１…送受信部
１２…制御部
１３…点灯回路部
１７…通信部
１８…記憶部
２２…主制御部
【図１】
2009140759.tif 000003
【図２】
2009140759.tif 000004
【図３】
2009140759.tif 000005
【図４】
2009140759.tif 000006
【図５】
2009140759.tif 000007
【図６】
2009140759.tif 000008